(57)【要約】本発明は兵器技術に関し、詳しくは特殊部隊が使用する火器のための銃スリングに関する。戦術銃スリングは、ループ形態の長さ調整可能なスリングと、前スリング台と、銃身ユニット固定用迅速解放要素及び銃台尻固定用要素又はレシーバの後ろスリング台固定用要素と、スリング調整ユニットと、前記スリング調整ユニットを貫通する調整ストラップであって、一端が迅速解放要素を通して前スリング台に固定されかつ他端が自由のままである調整ストラップとを含む。新規性は、スリングがさらに、当該スリングがループ形態で貫通する迅速調整ユニットを含むことにある。かかる銃スリング設計により、スリングの長さを迅速に調整すること、並びにほぼあらゆるタイプの短機関銃、自動ライフル、狙撃ライフル、ショットガン等の個人用小火器において当該スリングを変換及び使用することを可能にする基本ループの大きな調整マージンを得ることが可能となる。
2015518131.tif 000002
【特許請求の範囲】
【請求項１】
戦術銃スリングであって
ループ形態の長さ調整可能なスリングと、
前スリング台と、
銃身ユニット固定用迅速解放要素及び銃台尻固定用要素又はレシーバの後ろスリング台固定用要素と、
スリング調整ユニットと、
前記スリング調整ユニットを貫通する調整ストラップであって、一端が前記迅速解放要素を通して前記前スリング台に固定される一方第２端は自由のままである調整ストラップと
を含み、
前記スリングは、前記スリングがループ形態で貫通する迅速調整ユニットをさらに含む戦術銃スリング。
【発明の詳細な説明】
【技術分野】
【０００１】
本発明は兵器技術に関し、詳しくは特殊部隊が使用する銃スリングに関する。
【背景技術】
【０００２】
市街の真ん中での接近範囲の戦闘並びに短距離及び超短距離での射撃接触を含む特殊部隊の軍事作戦には、特殊なタイプの銃、それを取り扱う新規な方法、及び特殊な装備品が必要とされる。かかる装備品は、迅速かつ容易な銃取り扱いを可能とする戦術銃スリングも含む。
【０００３】
現在のところ、火器に固定されるタイプによって区別されるいくつかのタイプの戦術銃スリングが知られている。
【０００４】
それらには、例えば戦術一点スリングが含まれる。これは一点で、すなわち通常は銃の台尻において、銃に固定される。一点銃スリングは、長さ調整可能ループの形態に設計されかつ銃固定用要素を有するスリングを含む（特許文献１参照）。
【０００５】
先行技術の戦術スリングの主な特徴は、銃に対して最大限の銃を保証することにある。銃は、任意の方向に容易に向けられ、戸口及び他の狭い場所を通過するときの操作者の輪郭にフィットすることができ、並びに一方の肩から他方の肩まで容易に動かすことができる。
【０００６】
かかる銃スリングの主な欠点は、自由位置において銃が揺れる程度が大きいことにある。この欠点を克服するには、設計を大幅に複雑化させる特殊なクランプを取り付ける必要がある。
【０００７】
現時点で最も一般的なスリングは、両端に銃を固定する要素を有する長さ調整可能スリングを含む２点銃スリングである（特許文献２参照）。この２点銃スリングによって操作者は、スリングの長さを迅速かつ容易に調整することができる。スリングの一端を引くことにより当該スリングの長さを迅速に変えることができるので、その当初の長さを回復させるように銃が身体に密着しかつ身体が銃に密着して動く。
【０００８】
かかる銃スリングの欠点は、その設計により操作者が他方の肩へ銃を動かすことが、その過程において自分の身体に対するスリングシステムの位置を変えることなしには、又は当該スリングシステムを自分の身体から完全に取り外すことなしにはできない点にある。
【０００９】
最も完成している戦術銃スリングは現在のところ、ループの形態にある長さ調整可能スリングから作られた３点銃スリングである。これは、銃を固定する２つの要素と、一位置から他位置へ銃を動かすときに使用される第３の固定要素とを有する。この要素は、スリングに沿って動くことができるように取り付けられる（特許文献３参照）。このスリングは、銃の快適な移動を意図する。かかるスリングの設計により操作者の身体上に固定位置をとることができ、かつ、当該設計により任意位置から銃を投げ上げることができる。すなわち、銃スリングシステムの要件に応じて最もバランスがとれており、特殊部隊の職業軍人に最も人気があるものの一つである。
【００１０】
しかしながら、この設計は、アクションの快適性及び自由性を必ずしも与えるわけではない。個人用銃を身体にぴったりフィットさせることが不可能だからであり、かつ、このスリングシステムが実際に一点システムに変換されるとしても、スリング長さの過剰な調整によって銃の砲火が極めて困難となるからである。
【００１１】
設計及びアクション原理が最も近い銃スリングは、ループ形態の長さ調整可能スリングと、前スリング台と、銃身ユニット固定用迅速解放要素及び銃台尻固定用要素と、スリング調整ユニットと、当該スリング調整ユニットを貫通する調整ストラップとを含み、当該調整ストラップの一端が当該迅速解放要素を通して当該前スリング台に固定されかつ第２端が自由のままである一方、当該スリング調整ユニットの双方向の動きを制限するべく、動き制限器が当該スリング調整ユニットの近くに取り付けられる銃スリングである（特許文献４参照）。
【００１２】
このスリング設計により、銃を動かし及び銃を使用するときのアクションの快適性及び自由性を増加させることができる。
【００１３】
この欠点は、基本ループを調整するためのマージンがかなり狭いことにより、スリング長さを迅速に調整することができず、変換及び銃の使用可能性が制限されることにある。
【先行技術文献】
【特許文献】
【００１４】
【特許文献１】米国特許出願公開第２００６／０２０８０１６（Ａ１）号明細書
【特許文献２】米国特許出願公開第２００４／０１８８４７６（Ａ１）号明細書
【特許文献３】米国特許出願公開第２００７／０２７８２６２（Ａ１）号明細書
【特許文献４】露国登録特許第２４２１６７５（Ｃ１）号明細書
【発明の概要】
【００１５】
本発明の技術的効果は、スリング長さの迅速調整が保証され、基本ループを調整するマージンが増加され、並びにスリングを変換及び使用する新たな可能性が得られることにある。
【００１６】
この技術的効果は、ループ形態の長さ調整可能なスリングと、前スリング台と、銃身ユニット固定用迅速解放要素及び銃台尻固定用要素と、スリング調整ユニットとを含む銃スリングによって達成される。新規な点は、スリングがさらに、当該スリングがループ形態で貫通する迅速調整ユニットを含むことにある。
【図面の簡単な説明】
【００１７】
図面によって本発明が説明される。
【００１８】
【図１】銃に取り付けられた銃スリングの一般的な図を模式的に示す。
【００１９】
銃スリングは、調整ユニット２を貫通するループ形態のスリング１と、調整ユニット２を貫通する調整ストラップ３であって、一端が固定要素４を通して前スリング台５に接続される一方他端が自由のままである調整ストラップ３とを含む。スリング１はさらに、台尻７の頭部に固定するための後ろスリング台６を自由に貫通する。スリング１はまた追加の迅速調整ユニット８を貫通して第２ループを形成する。
【００２０】
銃スリングは以下のように動作する。
【００２１】
初期状態において、スリング１は、調整ユニット２及び８を貫通して２つのループを形成する。これらのループは、バックパックのストラップのように肩に置かれ、かつ、「バイアスロン」法に従って銃の背中への移動をもたらす。狙撃ライフルでスリングを使用するには、スリング１の２つのループが一緒にまとめられて当該スリングが２点スリングに変換される。この場合、スリングの長さを増加させることのない「バイアスロン」変形体から２点変形体への変換及びその逆の変換を、当該スリングの基本ループの調整ユニット８を追加的に操作することなく達成することができる。スリングの長さを増加させる必要がある場合、調整ストラップ３がユニット２を通して引き出され、スリング１も迅速調整ユニット８を通して引き出される。「輸送位置」、「戦闘位置」及び「パトロール位置」に設定するべく、銃は、前もって操作者の前又は後ろに配置され、スリング１は首及び肩越しに置かれる。調整ストラップ３の自由端が完全に引き出されて「輸送位置」になると、今度は調整ユニット２が固定要素４まで引き上げられ、銃は、操作者の制服に密接する対角位置をとる。「パトロール位置」では、調整ストラップ３は、操作者にとって快適な長さを超えるように調整ユニット２を通して引き出される。「戦闘位置」では、調整ストラップ３がほぼ完全に引き出されて銃が右肩及び左肩の双方から自由となり、台尻によって砲火することができる。スリングの長さを増加させるには、これらの位置においてスリング１が迅速調整ユニット８を通して引き出される。
【００２２】
このようにして迅速調整ユニット８が存在することにより、スリングの長さを極めて迅速に調整することが可能となり、かつ、基本ループを調整するためのかなり長いマージンを与えることも可能となる。これによりスリングは、バックパックのストラップと同様の２つのストラップに変換することが可能となり、（両肩越しにスリングのストラップを置いた後、背中において）「バイアスロン」法に従った銃の移動をもたらすことも可能となり、かつ、双方のストラップを一緒にして当該スリングを調整ストラップつきの２点スリングに変換することも可能となる。かかる機能は、狙撃ライフルにおけるスリングの使用にとって極めて有用である。「バイアスロン」変形体から２点変形体へ又は逆の変換が、極めて迅速に、かつ、スリングの基本ループの調整ユニットを追加的に操作することなく達成される。これにより、全体として大きな戦術的な利点が保証される。
【００２３】
スリングは、現実的に任意のタイプの個人用小火器に有効に使用することができる。特に短機関銃から始まり、自動ライフル、狙撃ライフル、ショットガン、機関銃及び手動グレネードランチャーに続くいずれのタイプにとっても、機能的かつ戦術的な利点が得られる。
【図１】
2015518131.tif 000003
【国際調査報告】
2015518131.tif 000004
2015518131.tif 000005